(57)【特許請求の範囲】
【請求項１】
左右一側部に搭乗運転部を有した機体の前方に刈取部を備え、前記刈取部を、その搭乗運転部側部分が正面視で前記搭乗運転部と重なる状態で配備し、前記搭乗運転部の前部に操縦部を備え、
前記搭乗運転部の下部のデッキを構成するデッキフレームの前部に、上部が乗降口側のデッキ面よりも上側に位置して前記操縦部の下端に連設される連設部分を形成し、
前記連設部分の前面部における、前記刈取部の機体左右方向の幅よりも外側に位置する部分で、かつ、機体の正面視で見える位置であって、前記刈取部の前記搭乗運転部側の上端部から下方に延出する上側部の下端部から前記搭乗運転部側かつ下方に延出する傾斜部と機体上下方向において少なくとも一部が重複するとともに、前記傾斜部の下端部から下方に延出するとともに前記上側部よりも前記搭乗運転部側に突出した下側部と正面視で重複しない位置に、警音器を設け、
前記連設部分の前面に開口を設けて、前記連設部分によって形成される空間に、前記開口の真後ろに位置する状態で、警音を前方に水平に発するように前記警音器を配備してあるコンバイン。
【請求項２】
前記操縦部の上部側が側面視で上側ほど後側に位置するように傾斜している請求項１に記載のコンバイン。
【発明の詳細な説明】
【技術分野】
【０００１】
本発明は、左右一側部に搭乗運転部を有した機体の前方に刈取部を備え、機体に警音器を備えたコンバインに関する。
【背景技術】
【０００２】
従来、この種のコンバインでは、例えば特許文献１の段落番号「００１５」及び段落番号「００２１」に記載された「昇降機構Ａ」及び「横送り機構Ｃ」などのように、刈取部の昇降操作及び横送り操作が可能に構成されている。この刈取装置の、背後に位置する走行機体の前面には、「警音器」が設けられている。また、この種のコンバインは圃場での作業の前後に、移動などのため一般路上を走行することがあるので、農耕作業用小型特殊自動車としての型式認定を取得する必要がある。この型式認定においては、道路運送車両法の規定に基づいて一定の保安基準（昭和２６年７月２８日運輸省令第６７号）が設けられている。保安基準の一項目である「警音器」については、警音器の音の大きさが機体前方の所定の距離を隔てた位置において、所定の大きさ以上であることが必要とされており（同省令４３条第３項１号）、先述の警音器は保安基準を満たしたものが設置されている。
【先行技術文献】
【特許文献】
【０００３】
【特許文献１】特開平１１−２７５９２０号公報（段落番号「００１５」及び「００２１」）
【発明の概要】
【発明が解決しようとする課題】
【０００４】
ところが、特許文献１に記載の従来のコンバインのように、警音器が刈取部の背後に位置するような構成であると、警音器から発せられた音は前方を遮る刈取部により吸収されてしまうので、保安基準を満たすためには、刈取部による音の吸収分を踏まえて、相当の出力をもって警音器を作動させる必要があった。したがって、容量の大きな警音器が必要となり、構造も大型化するので、設置スペースの点で不都合が生じたり、部品コストの点でも不利であったりした。また、警音器を作動させると、その大きな音により、運転者が必要とする周囲の音を妨害し、状況認識が困難な場合が生じるなど、コンバインの警音器については改善の余地があった。
【０００５】
そこで、本発明は上記事情に鑑み、より最適な警音器を備えたコンバインを提供することを目的としている。
【課題を解決するための手段】
【０００６】
［Ｉ］
（構成）
本発明の第１特徴は、左右一側部に搭乗運転部を有した機体の前方に刈取部を備え、機体に警音器を備えたコンバインにおいて次のように構成することにある。
前記刈取部を、その搭乗運転部側部分が正面視で前記搭乗運転部と重なる状態で配備し、前記搭乗運転部の前部に操縦部を備え、前記搭乗運転部の下部のデッキを構成するデッキフレームの前部に、上部が乗降口側のデッキ面よりも上側に位置して前記操縦部の下端に連設される連設部分を形成し、前記連設部分の前面部における、前記刈取部の機体左右方向の幅よりも外側に位置する部分で、かつ、機体の正面視で見える位置であって、前記刈取部の前記搭乗運転部側の上端部から下方に延出する上側部の下端部から前記搭乗運転部側かつ下方に延出する傾斜部と機体上下方向において少なくとも一部が重複するとともに、前記傾斜部の下端部から下方に延出するとともに前記上側部よりも前記搭乗運転部側に突出した下側部と正面視で重複しない位置に、警音器を設け、前記連設部分の前面に開口を設けて、前記連設部分によって形成される空間に、前記開口の真後ろに位置する状態で、警音を前方に水平に発するように前記警音器を配備してある。
【０００７】
（作用）
本発明の第１特徴によると、警音器から出力された音が機体の前方に伝播する際には、伝播の障害となるものが少ない状態となる。したがって、障害物による音の減衰は抑制され、警音器からの音がより効率的に目標範囲に到達することになる。
【０００８】
（効果）
本発明の第１特徴によると、警音器からの音がより効率的に目標範囲に到達するので、警音器の容量を必要な範囲内で縮小でき、それに応じて警音器の構造も小型化できる。したがって、警音器の構成の大型化を避けることができ、設置スペースの節約や、部品コストの低減が図られる。また、警音器の音の大きさが比較的小さくて済むので、運転者が必要とする周囲の音が妨害される程度が低減する。
【０００９】
［ＩＩ］
（構成）
本発明の第２特徴は、本発明の第１特徴において次のように構成することにある。
前記操縦部の上部側が側面視で上側ほど後側に位置するように傾斜している。
【００１０】
【００１１】
【図面の簡単な説明】
【００１２】
【図１】コンバインの全体側面図
【図２】コンバインの全体正面図
【図３】警音器及びカバーの取付状態を示す拡大側面図
【発明を実施するための形態】
【００１３】
図１に示すように、右及び左のクローラ走行装置１で支持された機体の前方に刈取部２が昇降駆動自在に支持されて、機体の後部の左横側部に脱穀装置３、機体の後部の右横側部にグレンタンク４が備えられて、コンバインが構成されている。
【００１４】
図１及び図２に示すように、機体の前部の右横側部にエンジン５が配置され、エンジン５を覆うボンネット６が備えられており、ボンネット６の上部に運転座席７が備えられている。ボンネット６の前方に操縦部８が備えられており、ボンネット６と操縦部８との間の下部にデッキが配置されて、ボンネット６と操縦部８との間で搭乗運転部１２が構成されている。刈取部２は、脱穀装置３に対して、すなわち機体に対して左右に横移動可能に構成されている。
【００１５】
図２及び図３に示すように、デッキを構成するデッキフレーム９は、デッキ面となるデッキ板９ａと、前面部９ｂとを有している。この前面部９ｂの機体外寄り、すなわち右寄りの位置に開口が設けてあり、この開口には警音器１０が備えられている。警音器１０が取り付けられた開口の位置は、刈取部２が機体右側に横移動した場合でも、前方が遮られないような位置となっている。デッキフレーム９の前部には、操縦部８の下端に連設される連設部分９ｃが形成されている。
【００１６】
警音器１０は正面視円形の出力面を有しており、その出力面が前面部９ｂと揃うような前後位置で配置されている。円錐台形のカバー１１が、前面部９ｂより前方向に向いて突出するように、警音器１０の出力面に設けられている。
【００１７】
以上のような、警音器１０及びカバー１１の構成及び配置にすることで、警音器１０から出力される音の伝播効率が向上するので、警音器として小型なもので構成することができ、また、路上走行或いは作業走行中に周囲から飛散してくる砂埃、泥、藁くずなどが、警音器１０に直接付着するおそれを低減させることができた。
【符号の説明】
【００１８】
２    刈取部
８    操縦部
９    デッキフレーム
９ａ  デッキ板（デッキ面）
９ｂ  前面部
９ｃ  連設部分
１０  警音器
１１  カバー
１２  搭乗運転部
【図１】
0004871388.tif 000002
【図２】
0004871388.tif 000003
【図３】
0004871388.tif 000004